(57)【特許請求の範囲】
【請求項１】
熱交換器（１０）と、
前記熱交換器（１０）の下側に配置されるドレンパン（５０）と、
前記熱交換器（１０）を通過した空気を室内に吹き出させるための吹出口（２５Ｄ）が形成されたケーシング（２１）と、を備え、
前記ドレンパン（５０）は、
前記熱交換器（１０）に沿って延び、且つ当該熱交換器（１０）の下側において当該熱交換器（１０）の表面に生じた前記水を受ける溝状のドレン受け部（５２）と、
前記ドレン受け部（５２）の対向する一対の側面間において前記熱交換器（１０）に下側から当接するように立設されて前記側面間の空間を空気の流れにおける上流側と下流側とに仕切ることによって、前記水を前記上流側において一方の端部に流す内溝部（５６）及び前記下流側の外溝部（５８）を形成する仕切り壁（５４）と、
当該室内機（２）の空気の吹出方向に見て吹出口（２５Ｄ）の幅の範囲内において、前記水の流れ方向における前記内溝部（５６）の下流端を前記外溝部（５８）に連通させる連通部（５４０Ａ）と、を有し、
前記仕切り壁（５４）は、前記内溝部（５６）の下流端（５６Ｂ）に向かって当該内溝部（５６）の溝幅を狭くする狭小部（２５４）を有し、
前記連通部（５４０Ａ）は、前記熱交換器（１０）の下側において、前記吹出口（２５Ｄ）に対向した側面（５６２）に連続して延び、且つ前記内溝部（５６）の内側面を規定する連通部側壁面（５４１）と、この連通部側壁面（５４１）に対向する前記仕切り壁（５４）の狭小部（２５４）の先端面（５４２）との間に規定される空気調和装置の室内機。
【請求項２】
前記外溝部（５８）における前記連通部（５４０Ａ）の下流位置に配置されるドレンポンプ（６０）を備え、
前記ドレンポンプ（６０）は、水位を検知する水位センサ（６２）と、前記水位センサ（６２）の検知結果に基づいて前記外溝部（５８）の前記水を排水するポンプ本体（６１）と、を有する請求項１に記載の空気調和装置の室内機。
【請求項３】
前記連通部側壁面（５４１）は、前記内溝部（５６）の下流端における前記吹出口（２５Ｄ）に対向した側面（５６２）よりも前記狭小部（２５４）の先端面（５４２）側に位置することにより、当該連通部側壁面（５４１）と前記吹出口（２５Ｄ）に対向した側面（５６２）との間に段差部（５４５Ａ）を形成する請求項１又は２に記載の空気調和装置の室内機。
【発明の詳細な説明】
【技術分野】
【０００１】
本発明は、冷媒が循環して蒸気圧縮式の冷凍サイクルを行う空気調和装置の室内機に関する。
【背景技術】
【０００２】
従来から、特許文献１に開示された空気調和装置の室内機が知られている。この室内機は、図１２及び図１３に示されるように、送風機１０２と、送風機１０２からの空気を冷却又は加熱する熱交換器１０４と、熱交換器１０４の下側に配置されるドレンパン１０６と、ドレンパン１０６に溜まった水（ドレン）を室内機１００の外部に排出するドレンポンプ１０８と、を備える。
【０００３】
ドレンパン１０６は、空気中の水分が凝縮することによって熱交換器１０４の表面に生じた水を当該熱交換器１０４の下側で受けるドレン受け部１０７を有する。このドレン受け部１０７は、熱交換器１０４の下側において、送風機１０２による空気の流れ方向ｗにおける熱交換器１０４の上流側（一次側）と、前記空気の流れ方向ｗにおける下流側（二次側）とに跨るように形成されている。そして、ドレン受け部１０７の底面１０７Ａは、ドレンポンプ１０８に向けて下り勾配となっている（図１３参照）。これにより、ドレン受け部１０７が熱交換器１０４の一次側と二次側とで受け止めた水（熱交換器１０４の表面において生じた水）がドレンポンプ１０８に集まる。そして、ドレンポンプ１０８がこの集まった水（ドレン）を排水することによって、ドレンがドレンパン１０６から効率よく排水される。
【先行技術文献】
【特許文献】
【０００４】
【特許文献１】特開２００７−２５５７３９号公報
【発明の概要】
【発明が解決しようとする課題】
【０００５】
上記の室内機１００において、ドレンポンプ１０８がドレン受け部１０７の二次側に配置され、ドレン受け部１０７のドレンポンプ１０８近傍において一次側のドレンが二次側のドレンと合流する場合、この一次側のドレンと共に熱交換器１０４の下側を通過する空気の流れによって、一次側のドレンと二次側のドレンとが合流する領域においてドレンの表面（水面）が波立ち、その一部が室内機１００の吹出口１０９から外部に飛散することが懸念される。
【０００６】
そこで、本発明は、上記問題に鑑み、ドレン受け部において、一次側のドレンが二次側のドレンと合流する領域における波立ちを抑えることでドレンが外部に飛散し難い空気調和装置の室内機を提供することを課題とする。
【課題を解決するための手段】
【０００７】
そこで、上記課題を解消すべく、本発明は、熱交換器（１０）と、前記熱交換器（１０）の下側に配置されるドレンパン（５０）と、前記熱交換器（１０）を通過した空気を室内に吹き出させるための吹出口（２５Ｄ）が形成されたケーシング（２１）と、を備える。そして、前記ドレンパン（５０）は、前記熱交換器（１０）に沿って延び、且つ当該熱交換器（１０）の下側において当該熱交換器（１０）の表面に生じた前記水を受ける溝状のドレン受け部（５２）と、前記ドレン受け部（５２）の対向する一対の側面間において前記熱交換器（１０）に下側から当接するように立設されて前記側面間の空間を空気の流れにおける上流側と下流側とに仕切ることによって、前記水を前記上流側において一方の端部に流す内溝部（５６）及び前記下流側の外溝部（５８）を形成する仕切り壁（５４）と、当該室内機（２）の空気の吹出方向に見て吹出口（２５Ｄ）の幅の範囲内において、前記水の流れ方向における前記内溝部（５６）の下流端を前記外溝部（５８）に連通させる連通部（５４０Ａ）と、を有し、前記仕切り壁（５４）は、前記内溝部（５６）の下流端（５６Ｂ）に向かって当該内溝部（５６）の溝幅を狭くする狭小部（２５４）を有し、前記連通部（５４０Ａ）は、前記熱交換器（１０）の下側において、前記吹出口（２５Ｄ）に対向した側面（５６２）に連続して延び、且つ前記内溝部（５６）の内側面を規定する連通部側壁面（５４１）と、この連通部側壁面（５４１）に対向する前記仕切り壁（５４）の狭小部（２５４）の先端面（５４２）との間に規定される。
【０００８】
かかる構成によれば、熱交換器（１０）の下側における一次側（内溝部（５６））のドレン（熱交換器（１０）の表面に生じた水）が二次側（外溝部（５８））のドレンに合流するために通過できる範囲を連通部（５４０Ａ）（連通部側壁面（５４１）と狭小部（２５４）の先端面（５４２）との間）に絞ると共に、一次側（内溝部（５６））のドレンが連通部（５４０Ａ）を通って二次側（外溝部（５８））に流れ込むときに当該連通部（５４０Ａ）を通過するドレンを、内溝部（５６）を流れるドレンの流れ方向に沿った壁面（連通部側壁面（５４１））に沿わせるようにすることで、ドレン受け部（５２）において一次側（内溝部（５６））のドレンが二次側（外溝部（５６））のドレンと合流する領域におけるドレン表面（水面）の波立ちを抑えることができる。即ち、連通部（５４０Ａ）によって熱交換器（１０）の下側を空気が通過できる範囲を絞って熱交換器（１０）の下側（連通部（５４０Ａ））を通過する空気の風量を抑えることでこの空気の流れによるドレン表面の波立ちを抑えると共に、一次側（内溝部（５６））のドレンがこの連通部（５４０Ａ）を前記空気と共に通過するときに、内溝部（５６）を構成する一方の側面（５６２）から連続して延びる壁面（連通部側壁面（５４１））に当該ドレンを沿わすことによって連通部（５４０Ａ）を通過するドレンの水面を安定させ、これらによって、ドレン受け部（５２）における一次側（内溝部（５６））のドレンが二次側（外溝部（５８））のドレンと合流する領域でのドレン表面の波立ちが抑えられる。しかも、連通部（５４０Ａ）においてドレンを沿わせる壁面（連通部側壁面（５４１））が熱交換器（１０）の下側において室内機（２）の吹出口（２５Ｄ）と対向することで、連通部（５４０Ａ）を通過するドレンの流れが、当該室内機（２）の吹出口（２５Ｄ）から吹き出される空気の流れの下側位置において当該空気の流れと交差する方向となる。即ち、連通部（５４０Ａ）の向きが、吹出口（２５Ｄ）とは異なる方向に向かうように形成されている。このため、当該連通部（５４０Ａ）を通過したドレンが波立ち易い領域（連通部（５４０Ａ）を通過した一次側のドレンと、二次側のドレンとが合流する領域）を前記吹き出される空気の通過する領域と異なる位置とすることができ、これにより、連通部（５４０Ａ）を通過したドレンの表面が波立ったとしても、このドレンが吹出口（２５Ｄ）から吹き出される空気の流れに乗って室内機（２）の外部に飛散し難くなる。
【０００９】
以上より、室内機（２）の吹出口（２５Ｄ）の正面位置においてドレン受け部（５２）の一次側（内溝部（５６））のドレンを二次側（外溝部（５８））のドレンに合流させても、ドレンが室内機（２）の外側に飛散し難くなる。
【００１０】
本発明に係る空気調和装置（１）の室内機（２）は、前記外溝部（５８）における前記連通部（５４０Ａ）の下流位置に配置されるドレンポンプ（６０）を備え、前記ドレンポンプ（６０）は、水位を検知する水位センサ（６２）と、前記水位センサ（６２）の検知結果に基づいて前記外溝部（５８）の前記水を排水するポンプ本体（６１）と、を有してもよい。
【００１１】
かかる構成によれば、外溝部（５８）における連通部（５４０Ａ）の下流位置（一次側のドレンが二次側のドレンと合流する領域）においてドレンの表面の波立ちが抑えられるため、この波立ちに起因する水位センサ（６２）の誤検知を防ぐことができ、その結果、ポンプ本体（６１）の誤作動による消費電力の増加等を防ぐことができる。即ち、外溝部（５８）における連通部（５４０Ａ）の下流位置（ドレンポンプ（６０）の配置位置）においてドレン表面が波立つと、当該位置において所定の水位までドレンが溜まっていない状態でも水位センサ（６２）が所定の水位であると誤検知し、これにより、排水を開始する水位にまで達していない状態でもポンプ本体（６１）がドレンの排水を始める（即ち、ポンプ本体（６１）が誤作動する）ため消費電力の増加等が生じるが、波立ちを抑えて水位センサ（６２）の誤検知を防ぐことによって、前記ポンプ本体（６１）の誤作動を防ぐことができ、その結果、前記消費電力の増加等を防ぐことができる。
【００１２】
また、外溝部（５８）における連通部（５４０Ａ）の下流位置（ドレンポンプ（６０）の配置位置）においてドレン表面の波立ちが抑えられることにより、この波がドレンポンプ（６０）に衝突することにより生じる水滴の飛散も抑えることができる。
【００１３】
前記連通部側壁面（５４１）は、前記内溝部（５６）の下流端における前記吹出口（２５Ｄ）に対向した側面（５６２）よりも前記狭小部（２５４）の先端面（５４２）側に位置することにより、当該連通部側壁面（５４１）と前記吹出口（２５Ｄ）に対向した側面（５６２）との間に段差部（５４５Ａ）を形成してもよい。
【００１４】
かかる構成によれば、連通部（５４０Ａ）の幅（連通部側壁面（５４１）と狭小部（２５４）の先端面（５４２）との間隔）がより狭くなることにより当該連通部（５４０Ａ）を通過する空気の風量がより抑えられると共に、内溝部（５６）の側面（吹出口（２５Ｄ）と対向する側面）（５６２）とこれから延びる壁面（連通部側壁面）（５４１）に沿って内溝部（５６）から外溝部（５８）へ向かうドレンの流れが段差部（５４５Ａ）にぶつかるため連通部（５４０Ａ）をドレンが通過する際の抵抗が増え、これにより、一次側のドレンと二次側のドレンとが合流する領域における波立ちをより効果的に抑えることができる。即ち、連通部（５４０Ａ）を通過する空気の風量がより抑えられることによってこの空気の流れによるドレン表面の波立ちがより抑えられると共に、段差部（５４５Ａ）にぶつかることで連通部（５４０Ａ）を通過するドレンの流れが抑えられて一次側のドレンが二次側のドレンと合流することによる波立ちが抑えられる。
【発明の効果】
【００１７】
以上より、本発明によれば、ドレン受け部において、一次側のドレンが二次側のドレンと合流する領域における波立ちを抑えることでドレンが外部に飛散し難い空気調和装置の室内機を提供することができる。
【図面の簡単な説明】
【００１８】
【図１】本実施形態に係る空気調和装置の概略構成図である。
【図２】前記空気調和装置における室内機の斜視図である。
【図３】前記室内機の縦断面図である。
【図４】前記室内機における熱交換器とドレンパンとの配置状態を示す平面図である。
【図５】前記ドレンパンの平面図である。
【図６】前記ドレンパンの内溝部と外溝部と連通部との範囲を示す図である。
【図７】図５のＶＩＩ−ＶＩＩ位置の断面図である。
【図８】ドレンパン上に熱交換器が配置された状態の下流端連通部周辺の拡大斜視図である。
【図９】下流端連通部周辺の拡大斜視図である。
【図１０】（Ａ）は、内溝部の側面から離れた位置に下流端連通部が配置された構成を説明するための模式図であり、（Ｂ）は、幅の大きな下流端連通部が配置された構成を説明するための模式図である。
【図１１】（Ａ）は、図１０（Ａ）の構成に遮蔽板を配置した状態を示す図であり、（Ｂ）は、図１０（Ｂ）の構成に遮蔽板を配置した状態を示す図である。
【図１２】従来の空気調和装置の室内機の幅方向の縦断面図である。
【図１３】従来の空気調和装置の室内機の長さ方向（幅方向と直交する方向）の縦断面図である。
【発明を実施するための形態】
【００１９】
以下、本発明の一実施形態について、添付図面を参照しつつ説明する。
【００２０】
本実施形態に係る室内機（以下、単に「室内機」と称する。）は、図１に示されるように、配管４、４によって室外機３と接続されることにより空気調和装置１を構成する。この空気調和装置１は冷媒回路を有し、この冷媒回路は、室内側熱交換器１０と、圧縮機１２と、室外側熱交換器１３と、膨張弁１４と、四路切換弁１５とを主な構成要素としている。この空気調和装置１では、四路切換弁１５が切り換えられることにより、冷媒回路における冷媒の循環方向が切り換えられ、これにより、冷房運転と暖房運転との切り換えが行われる。
【００２１】
室内機２は、天井吊り下げ型（いわゆる天吊りタイプ）であり、図２及び図３にも示されるように、天井から延びる吊り下げボルト等の吊り下げ部材によって天井に吊り下げられるケーシング２１と、ケーシング２１の下部に取り付けられる化粧板２２と、を備える。ケーシング２１は、略正方形の天板２３と、この天板２３の周縁から略下方に向かって延びる側壁２４とを有する。天板２３の各辺に対応する側壁２４の部位において、水平方向の略中央部に吹出口２５Ａ〜２５Ｄが設けられている。この吹出口２５Ａ〜２５Ｄには、吹出口２５Ａ〜２５Ｄから吹き出される温調後の風の吹き出し方向を変えるための風向板２５Ｆが設けられている。この風向板２５Ｆは、水平方向に長尺な矩形状の板状部材であり、水平方向の両端部に図略のスイングモータが接続され、当該スイングモータの駆動により揺動若しくは回動する。また、化粧板２２は、その中央部に矩形状の吸込みグリル２６を有する。
【００２２】
また、室内機２は、ケーシング２１内に、送風機２７、ベルマウス２８、エアフィルタ２９、室内側熱交換器１０、ドレンパン５０、ドレンポンプ６０等を有する。
【００２３】
送風機２７は、羽根車３１と、ファンモータ３２とを有する遠心送風機（ターボファン）であり、化粧板２２の吸込みグリル２６に対応する位置に送風機２７の吸込口３３が臨むように配置されている。この送風機２７は、下側の吸込口３３から吸気した空気（室内空気等）を側方（室内側熱交換器１０に向けて）に吹き出す。送風機２７の吸込口３３と吸込みグリル２６との間には、ベルマウス２８が配置されている。
【００２４】
エアフィルタ２９は、ベルマウス２８の入口を覆う大きさを有し、ベルマウス２８と吸込みグリル２６との間において吸込みグリル２６に沿うように配置されている。
【００２５】
室内側熱交換器１０は、薄板状の複数のフィン３４、３４、…と、各フィン３４に形成された貫通孔に挿通された複数の伝熱管３５、３５、…とを有する所謂クロスフィン型の熱交換器である。この室内側熱交換器１０は、水平方向から送風機２７（羽根車３１）の周囲を囲むように配置されている。この室内側熱交換器１０は、伝熱管３５の管壁及びフィン３４を介して各伝熱管３５内を流れる冷媒と送風機２７から送風される室内空気（外気）との熱交換を行う。
【００２６】
ドレンパン５０は、室内側熱交換器１０において生じる水滴を受け止めて室内へ落下するのを防ぐための部材であり、室内側熱交換器１０の下側において当該室内側熱交換器１０に沿うように配置されている（図４参照）。
【００２７】
具体的に、ドレンパン５０は、図５乃至図９に示されるように、平面視において中央部が開口した（即ち、送風機２７の吸込口３３と対応した開口５１を有する）略四角形状であり、ドレン受け部５２と、仕切り壁５４と、下流端連通部５４０Ａと、を有する。
【００２８】
ドレン受け部５２は、室内側熱交換器１０に沿って延びる溝（凹部）によって形成されており、空気中の水分が凝縮することによって室内側熱交換器１０の表面に生じた水を当該熱交換器１０の下側において受ける。このドレン受け部５２の下流側の端部（終端：図５及び図６における左側の辺の上端近傍）には、ドレンポンプ６０が配置されている。
【００２９】
仕切り壁５４は、ドレン受け部５２の一対の側面（図７における溝状のドレン受け部５２を構成する左右の側壁面）間において室内側熱交換器１０に下側から当接するように立設されて前記側面間（ドレン受け部５２内）の空間を一次側と二次側とに仕切ることにより、内溝部５６と外溝部５８とを形成する。即ち、仕切り壁５４は、内溝部５６における外溝部５８側の側面と、外溝部５８における内溝部５６側の側面とによって規定される壁である。ここで、一次側とは、送風機２７から吹き出された空気の流れＷ（図３参照）における室内側熱交換器１０よりも上流側であり、二次側とは、前記空気の流れＷにおける室内側熱交換器１０よりも下流側のことである。この仕切り壁５４は、先端側（後述する内溝部の下流端側）に狭小部２５４を有する。
【００３０】
内溝部５６は、室内側熱交換器１０に沿って延び且つ前記室内側熱交換器１０の表面に生じた水を一次側において受ける溝である。具体的に、内溝部５６は、平面視において略四角形のドレンパン５０の各辺に沿うと共に開口５１を囲うように延びている。図５及び図６の例では、内溝部５６は、ドレンパン５０における上側の辺の左端近傍を始端５６Ａとして時計回りにドレンパン５０の各辺に沿って延び、その終端５６Ｂ（左側の辺の上端近傍）において外溝部５８に連通することによりドレンポンプ６０と通じている。
【００３１】
この内溝部５６は、仕切り壁５４の一方の壁面１５４と、エアフィルタ２９をドレンパン５０の底面側に設置するための空間を水平方向から囲う壁５６０の外側の壁面５６２と、を対向する一対の側面とし、これら一対の側面１５４、５６２と、その下端同士を接続する底面５６ａとによって形成される。この内溝部５６の底面５６ａは、前記始点からドレンポンプ６０に向かって一定の下り勾配となるように傾斜している。即ち、内溝部５６の長手方向の各位置において室内側熱交換器１０から滴下してきた水（ドレン）は、内溝部５６内をドレンポンプ６０に向かって流れる。
【００３２】
外溝部５８は、室内側熱交換器１０に沿って延び且つ前記室内側熱交換器１０の表面に生じた水を二次側において受ける溝である。この外溝部５８の底部は、内溝部５６と同様に、ドレンポンプ６０に向けてドレンが流れるように下り勾配となるように傾斜している。この外溝部５８の底部の傾斜角は、内溝部５６の底面５６ａの傾斜角よりも大きい。
【００３３】
具体的に、外溝部５８は、内溝部５６の外側（ドレンパン５０の開口５１と反対側）において当該内溝部５６に沿って延びる。即ち、外溝部５８は、内溝部５６の外側において、平面視において略四角形のドレンパン５０の各辺に沿うと共に開口５１を囲うように延びている。
【００３４】
この外溝部５８は、その長手方向（内溝部５６の水の流れ方向）において、複数の区間（本実施形態の外溝部５８は、第１区間５８１、第２区間５８２、第３区間５８３、第４区間５８４の４つの区間）に仕切られている。具体的には、外溝部５８は、ドレンパン５０の角部の位置において仕切られている。本実施形態の外溝部５８においては、図５及び図６に示すドレンパン５０の上側の辺に沿った区間を第１区間５８１とし、右側の辺に沿った区間を第２区間５８２とし、下側の辺に沿った区間を第３区間５８３とし、左側の辺に沿った区間を第４区間５８４とする。
【００３５】
各区間５８１〜５８４の底部は、内溝部５６におけるドレンの流れ方向に沿うように下り勾配となっている。即ち、第１区間５８１の底部は、図６における左端（始端）５８１Ａが最も高く、右端（終端）５８１Ｂが最も低くなるように傾斜している。第２区間５８２の底部は、図６における上端（始端）５８２Ａが最も高く、下端（終端）５８２Ｂが最も低くなるように傾斜している。第３区間５８３の底部は、図６における右端（始端）５８３Ａが最も高く、左端（終端）５８３Ｂが最も低くなるように傾斜している。第４区間５８４の底部は、図６における下端（始端）５８４Ａが最も高く、上端（終端）５８４Ｂ（詳しくは、ドレンポンプ６０が配置されている位置）が最も低くなるように傾斜している。これら、各区間５８１〜５８４における始端５８１Ａ〜５８４Ａの底部の高さ位置はそれぞれ同じであり、各区間５８１〜５８４における終端５８１Ｂ〜５８４Ｂの底部の高さ位置はそれぞれ同じである。従って、隣接する区間（例えば、第２区間５８２と第３区間５８３）において、上流側の区間の終端（例えば第２区間５８２の終端５８２Ｂ）における底部の高さ位置に比べ、下流側の区間の始端（例えば第３区間５８３の始端５８３Ａ）における底部の高さ位置が高くなるように設けられている。
【００３６】
本実施形態のドレンパン５０では、隣接する区間の間には、室内側熱交換器１０の側部を当接させることによりドレンパン５０に対する当該室内側熱交換器１０の水平方向の位置決めを行う位置決め部５９が形成されている。位置決め部５９は、隣接する区間（例えば、第２区間５８２と第３区間５８３と）の間において上流側の区間の終端（第２区間５８２の終端５８２Ｂ）の底部位置から上方に向かって突出し、外溝部５８を各区間５８１〜５８４に分断するように形成されている。この位置決め部５９を利用して、上流側の区間の終端（例えば、第２区間５８２の終端５８２Ｂ）とこれに隣接する下流側の区間の始端（例えば、第３区間５８３の始端５８３Ａ）との底部における高低差を形成している。尚、第１〜第３区間５８１〜５８３における終端５８１Ｂ〜５８３Ｂの底部の高さ位置が、内溝部５６における当該終端５８１Ｂ〜５８３Ｂに対応する部位（後述する連通部５４０によって連通する部位）の底部の高さ位置と同じ又は高くなるように、第１〜第３区間５８１〜５８３における始端５８１Ａ〜５８３Ａの高さ位置が設定されている。
【００３７】
以上のように、外溝部５８を長手方向（内溝部５６の水の流れ方向）に区分けし且つ隣接する区間の終端（例えば、第２区間５８２の終端５８２Ｂ）と始端（例えば、第３区間５８３の始端５８３Ａ）との間に高低差を設けた鋸歯状の配置とすることによって、外溝部５８（各区間５８１〜５８４）の底部の傾斜を急勾配としつつドレンパン５０の厚みを抑えることができる。
【００３８】
仕切り壁５４における第１〜第３区間５８１〜５８３の終端５８１Ｂ〜５８３Ｂと対応する位置には、外溝部５８と内溝部５６とを連通する連通部５４０がそれぞれ設けられている。連通部５４０は、外溝部５８から内溝部５６にドレンが流れ込む部位である。この連通部５４０は、仕切り壁５４を横断するように設けられた溝である。尚、連通部５４０は、溝に限定されず、外溝部５８と内溝部５６とを連通する貫通孔等であってもよい。
【００３９】
本実施形態では、第１〜第３区間５８１〜５８３の終端５８１Ｂ〜５８３Ｂがドレンパン５０の角部位置（室内機２のケーシング２１の角部、即ち、吹出口２５Ａ〜２５Ｃの正面位置からずれた位置）に形成されているため、これら終端５８１Ｂ〜５８３Ｂと対応する位置に設けられる連通部５４０もそれぞれドレンパン５０の角部位置に設けられる。尚、ドレンパン５０の周縁部における各直線部５３Ａ〜５３Ｄは、室内機２の各吹出口２５Ａ〜２５Ｄの下端を規定する部位である（図３参照）。
【００４０】
第１〜第３区間５８１〜５８３の終端５８１Ｂ〜５８３Ｂでは、外溝部５８の底部と連通部５４０の底部とが一体となって内溝部５６に向かう下り勾配の傾斜面を構成する。これにより、第１〜第３区間５８１〜５８３において始端５８１Ａ〜５８３Ａ側から流れてきたドレンが終端５８１Ｂ〜５８３Ｂに長時間滞留することなく内溝部５６により確実に流れ込む。
【００４１】
下流端連通部５４０Ａは、内溝部５６の終端（下流端）５６Ｂを第４区間５８４の終端５８４Ｂに連通させる。これにより、内溝部５６を流れてきたドレン（第１〜第３区間５８１〜５８３を流れて内溝部５６に流れ込んだドレンを含む）が外溝部５８における第４区間５８４の終端５８４Ｂに流れ込む。
【００４２】
この下流端連通部５４０Ａは、室内機２の対応する吹出口２５Ｄの空気の吹出方向から見て当該吹出口２５Ｄの幅の範囲内（即ち、吹出口２５Ｄから見える位置）に設けられ、当該下流端連通部５４０Ａが設けられている第４区間５８４の終端５８４Ｂには、ドレンポンプ６０が配置されている。
【００４３】
具体的に、下流端連通部５４０Ａは、連通部側壁面５４１と、この連通部側壁面５４１と対向する仕切り壁５４の狭小部２５４の先端面５４２と、先端面５４２と連通部側壁面５４１との下端同士を接続する底面５４３と、を含み、これら連通部側壁面５４１、仕切り壁５４の狭小部２５４の先端面５４２、及び底面５４３によって規定される溝状の部位である。
【００４４】
連通部側壁面５４１は、内溝部５６の下流端における吹出口２５Ｄと対向する側面（詳しくは、ドレンパン５０の底面側においてエアフィルタ２９を設置するための空間を水平方向から囲う壁５６０の外側の壁面）５６２の下流端から連続して同方向（内溝部５６におけるドレンの流れる方向）に延びる面である。詳しくは、連通部側壁面５４１は、下流端連通部５４０Ａの底面５４３から垂直に立ち上がり、内溝部５６の側面５６２よりも仕切り壁５４の狭小部２５４の先端面５４２側（吹出口２５Ｄ側）に位置している。そして、連通部側壁面５４１と内溝部５６の側面５６２との間には、段差部（段差面）５４５Ａが形成されている。また、この段差部５４５Ａが形成されている連通部側壁面５４１の端部と反対側の端部にも、同様の段差部５４５Ｂが形成されている。尚、内溝部５６の下流端における側面５６２は、第４区間５８４と対応する吹出口２５Ｄ側を向いて当該吹出口２５Ｄ（ドレンパン５０の周縁部における直線部５３Ｄ）に沿って延びている。この吹出口２５Ｄは、内溝部５６の下流端５６Ｂに対応する吹出口である。
【００４５】
仕切り壁５４における第４区間５８４に対応する部位は、第４区間５８４の始端５８４Ａから中央部までは吹出口２５Ｄ（内溝部５６の側面５６２）に沿って真っ直ぐ延び、前記中央部よりも終端５８４Ｂ側（狭小部２５４）は、内溝部５６の側面５６２との間隔が徐々に狭くなるように延びる。即ち、仕切り壁５４の狭小部２５４は、連通部側壁面５４１と交差する方向に当該連通部側壁面５４１に向かって延びている。この仕切り壁５４の狭小部（先端部）２５４は、その先端面５４２と連通部側壁面５４１との間が所定の間隔となる位置まで延びている。本実施形態の仕切り壁５４の狭小部２５４の先端面５４２は、側面視が円弧状の曲面である。
【００４６】
具体的に、本実施形態では、内溝部５６の底面５６ａからの仕切り壁５４の高さが、例えば、１５〜２５ｍｍであり、下流端連通部５４０Ａの底面５４３の位置において仕切り壁５４の狭小部２５４の先端面５４２と連通部側壁面５４１との間隔が、例えば、４〜８ｍｍである。また、内溝部５６の底面５６ａからの連通部側壁面５４１の高さが、例えば、１５〜２５ｍｍであり、幅が、例えば、３５〜４５ｍｍである。そして、連通部側壁面５４１は、内溝部５６の側面５６２よりも仕切り壁５４（吹出口２５Ｄ）側に、例えば、３〜６ｍｍ突出した位置に設けられている。
【００４７】
下流端連通部５４０Ａの底面５４３は、内溝部５６の底面５６ａの下流端から連続的に延びており、内溝部５６の底面５６ａと同じ傾斜角を有する。
【００４８】
ドレンポンプ６０は、ポンプ本体６１と、水位センサ６２とを有し、外溝部（詳しくは、第４区間）の終端における下流端連通部５４０Ａの下流位置に配置される。このドレンポンプ６０は、水位センサ６２によって第４区間５８４の終端５８４Ｂ（外溝部５８の終端）に溜まったドレンが所定の水位になったことを検出すると、ポンプ本体６１が駆動してこのドレンを室内機２の外部に排出する。
【００４９】
以上の室内機２によれば、室内側熱交換器１０の下側における一次側（内溝部５６）のドレンが二次側（外溝部５８）のドレンに合流するために通過できる範囲を下流端連通部５４０Ａ（連通部側壁面５４１と仕切り壁５４の先端面５４２との間）に絞ると共に、一次側（内溝部５６）のドレンが下流端連通部５４０Ａを通って二次側（外溝部５８）に流れ込むときに当該下流端連通部５４０Ａを通過するドレンを、内溝部５６を流れるドレンの流れ方向に沿った壁面（連通部側壁面５４１）に沿わせるようにすることで、ドレン受け部５２において一次側（内溝部５６）のドレンが二次側（外溝部５８）のドレンと合流する領域におけるドレン表面（水面）の波立ちを抑えることができる。即ち、下流端連通部５４０Ａによって室内側熱交換器１０の下側を空気が通過できる範囲を絞って室内側熱交換器１０の下側（下流端連通部５４０Ａ）を通過する空気の風量を抑えることでこの空気の流れによるドレン表面の波立ちを抑えると共に、一次側（内溝部５６）のドレンがこの下流端連通部５４０Ａを前記空気と共に通過するときに、内溝部５６を構成する一方の側面５６２から同方向（ドレンの流れ方向）に延びる壁面（連通部側壁面５４１）に前記ドレンを沿わすことによって下流端連通部５４０Ａを通過するドレンの水面を安定させ、これらによって、ドレン受け部５２における一次側（内溝部５６）のドレンが二次側（外溝部５８）のドレンと合流する領域でのドレン表面の波立ちが抑えられる。しかも、下流端連通部５４０Ａにおいてドレンを沿わせる壁面（連通部側壁面５４１）が室内側熱交換器１０の下側において室内機２の吹出口２５Ｄと対向することで、下流端連通部５４０Ａを通過するドレンの流れが、当該室内機２の吹出口２５Ｄから吹き出される空気の流れの下側位置において前記ドレンの流れる方向が当該空気の流れと交差する方向となる。即ち、下流端連通部５４０Ａの向きが、吹出口２５Ｄとは異なる方向に向かうように形成されている。このため、当該下流端連通部５４０Ａを通過したドレンが波立ち易い領域（下流端連通部５４０Ａを通過した一次側のドレンと、二次側のドレンとが合流する領域）を前記吹き出される空気の通過する領域と異なる位置とすることができ、これにより、下流端連通部５４０Ａを通過したドレンの表面が波立ったとしても、このドレンが吹出口２５Ｄから吹き出される空気の流れに乗って室内機２の外部に飛散し難くなるため、室内機２の外部へのドレンの飛散をより確実に防ぐことができる。
【００５０】
これにより、室内機２の吹出口２５Ｄの正面位置においてドレン受け部５２の一次側（内溝部５６）のドレンを二次側（外溝部５８）のドレンに合流させても、ドレンが室内機２の外側に飛散し難くなる。
【００５１】
また、本実施形態の室内機２では、ドレンパン５０の外溝部５８における下流端連通部５４０Ａの下流位置（一次側のドレンが二次側のドレンと合流する領域）においてドレンの表面の波立ちが抑えられるため、外溝部５８（第４区間５８４）の終端５８４Ｂにおける下流端連通部５４０Ａの下流位置にドレンポンプ６０が配置されることで、前記波立ちに起因する水位センサ６２の誤検知を防ぐことができ、その結果、ポンプ本体６１の誤作動による消費電力の増加を防ぐことができる。即ち、外溝部５８における下流端連通部５４０Ａの下流位置（ドレンポンプ６０の配置位置）においてドレンの表面が波立つと、当該位置において所定の水位までドレンが溜まっていない状態でも水位センサ６２が所定の水位であると誤検知し、これにより、排水を開始する水位にまで達していない状態でもポンプ本体６１がドレンの排水を始める（即ち、ポンプ本体６１が誤作動する）ため消費電力が増加するが、波立ちを抑えて水位センサ６２の誤検知を防ぐことによって、ポンプ本体６１の誤作動を防ぐことができ、その結果、前記消費電力の増加を防ぐことができる。
【００５２】
また、外溝部５８における下流端連通部５４０Ａの下流位置（ドレンポンプ６０の配置位置）においてドレン表面の波立ちが抑えられることにより、この波がドレンポンプ６０に衝突することにより生じる水滴の飛散も抑えることができる。
【００５３】
また、本実施形態の室内機２では、連通部側壁面５４１と内溝部５６の側面５６２との間に段差部５４５Ａが設けられることにより、下流端連通部５４０Ａの幅（連通部側壁面５４１と仕切り壁５４の狭小部２５４の先端面５４２との間隔）がより狭くなって当該下流端連通部５４０Ａを通過する空気の風量がより抑えられると共に、内溝部５６の側面５６２とこれから延びる壁面（連通部側壁面５４１）に沿って内溝部５６から外溝部５８へ向かうドレンの流れが段差部５４５Ｂにぶつかるため下流端連通部５４０Ａをドレンが通過する際の抵抗が増え、これにより、一次側のドレンと二次側のドレンとが合流する領域における波立ちがより効果的に抑えられる。即ち、下流端連通部５４０Ａを通過する空気の風量がより抑えられることによってこの空気の流れによるドレン表面の波立ちがより抑えられると共に、段差部５４５Ａにぶつかることで下流端連通部５４０Ａを通過するドレンの流れが抑えられて一次側のドレンが二次側のドレンと合流することによる波立ちが抑えられる。
【００５４】
尚、本発明の空気調和装置の室内機は、上記実施形態に限定されるものではなく、本発明の要旨を逸脱しない範囲内において種々変更を加え得ることは勿論である。
【００５５】
上記実施形態では、室内側熱交換器１０の下側において、空気が通ることができる範囲を下流端連通部５４０Ａ（連通部側壁面５４１と仕切り壁５４の狭小部２５４の先端面５４２との間）に絞って通過できる空気の風量を抑えると共に、下流端連通部５４０Ａを通って一次側（内溝部５６）から二次側（外溝部５８）に流れ出るドレンを内溝部５６の側面５６２から連続して延びる連通部側壁面５４１に沿わすことにより、一次側のドレンと二次側のドレンとが合流する領域におけるドレン表面の波立ちを抑えているが、この構成に限定されない。
【００５６】
例えば、図１０（Ａ）及び図１０（Ｂ）に示されるように、連通部５４０Ａが内溝部５６の側面５６２から離れた位置に設けられている場合や、下流端連通部５４０Ａの幅が広く十分な流量の空気が通過できる場合には、一次側のドレンと二次側のドレンとが合流する領域においてドレン表面が波立つが、これらの場合には、例えば、図１１（Ａ）及び図１１（Ｂ）に示されるように、外溝部５８においてドレンポンプ６０と下流端連通部５４０Ａとの間に遮蔽板（遮蔽部）７０を設けることにより波立ちを抑えることができる。
【００５７】
これら遮蔽板７０は、外溝部５８の底部から立ち上がる平板状の部位であり、下流端連通部５４０Ａからドレンポンプ６０に向かう方向と交差する方向（図１１（Ａ）及び図１１（Ｂ）では略直交する方向）に広がる。
【００５８】
ドレンポンプ６０（ポンプ本体６１及び水位センサ６２）の側面形状は、平板状の遮蔽板７０に比べて複雑な形状であるため、流れてきたドレンがドレンポンプ６０の側面に衝突するとドレン表面が波立ち、これにより、ドレンが水滴となって飛散し易くなる。しかし、上記のような単純な形状の遮蔽板７０が設けられることによって、下流端連通部５４０Ａを通じて一次側（内溝部５６）から流れてきたドレンがドレンポンプ６０に直接ぶつかることを防ぐことができ、前記衝突に起因するドレン表面の波立ちを抑えることができる。
【００５９】
また、上記実施形態の室内機２は、天井吊り下げ型であるが、天井埋め込み型（いわゆるカセット型）の室内機であってもよい。即ち、上記実施形態では、側面に吹出口２５Ａ〜２５Ｄが形成された室内機２であるが、底面に吹出口が形成された室内機であってもよい。
【００６０】
天井埋め込み型の室内機であっても、室内側熱交換器１０の下側において、空気が通ることができる範囲を下流端連通部５４０Ａに絞って通過できる空気の風量を抑えると共に、下流端連通部５４０Ａを通って一次側（内溝部５６）から二次側（外溝部５８）に流れ出るドレンを内溝部５６の側面５６２から連続して延びる連通部側壁面５４１に沿わすことにより、一次側のドレンと二次側のドレンとが合流する領域におけるドレン表面の波立ちを抑えドレンが室内機の外部に飛散するのを防ぐことができる。
【００６１】
また、上記実施形態では、四方向に風を吹き出す室内機２であるが、これに限定されず、２方向に風を吹き出す室内機であってもよく、１方向に風を吹き出す室内機であってもよい。
【００６２】
また、上記実施形態の室内機２は、冷房運転及び暖房運転の両方を行う空気調和装置１に用いられるが、冷房専用の空気調和装置に用いられる室内機であってもよく、暖房専用の空気調和装置に用いられる室内機であってもよい。
【符号の説明】
【００６３】
１        空気調和装置
２        室内機
１０      室内側熱交換器（熱交換器）
２５Ｄ    吹出口
５０      ドレンパン
５２      ドレン受け部
５４      仕切り壁
２５４    狭小部
５６      内溝部
５６Ｂ    内溝部の終端（内溝部の下流端）
５８      外溝部
６０      ドレンポンプ
６１      ポンプ本体
６２      水位センサ
７０      遮蔽板
５４０Ａ  下流端連通部（連通部）
５４１    連通部側壁面
５４２    狭小部の先端面
５４３    連通部の底面
５４５Ａ  段差部
５６２    内溝部を構成する一方の壁面（側面）
【図１】
0005786752.tif 000002
【図２】
0005786752.tif 000003
【図３】
0005786752.tif 000004
【図４】
0005786752.tif 000005
【図５】
0005786752.tif 000006
【図６】
0005786752.tif 000007
【図７】
0005786752.tif 000008
【図８】
0005786752.tif 000009
【図９】
0005786752.tif 000010
【図１０】
0005786752.tif 000011
【図１１】
0005786752.tif 000012
【図１２】
0005786752.tif 000013
【図１３】
0005786752.tif 000014